(57)【特許請求の範囲】
【請求項１】
透光性を有する長尺な導光部材と、前記導光部材の長手方向の端部側に配置された発光素子と、被照射体を読取る読取り部と、前記導光部材を支持する筐体とを備え、前記発光素子から出射された光を前記導光部材の長手方向の端部に形成された光入射面に入射させて該導光部材の内部で導光させ、前記導光部材の長手方向に沿う光出射面から出射された光により前記被照射体を照明して、前記被照射体で反射された反射光を前記筐体の内部を通じて前記読取り部に入射させ、前記読取り部により前記被照射体を読取る画像読取り装置であって、
前記被照射体側に向く前記筐体の開口部に設けられて、前記導光部材及び前記発光素子を保持する保持部材を備え、
前記保持部材は、前記導光部材の長手方向に沿って設けられ、前記被照射体で反射された反射光を前記筐体の内部へと通すスリットと、前記スリットを除いて前記筐体の前記開口部を覆う遮蔽部と、前記遮蔽部の端部を連結する連結部とを有し、
前記保持部材の端部を前記導光部材の端部と共に前記筐体の側端から該筐体の外側に突出させて、前記保持部材の前記遮蔽部の端部を前記筐体の側端から該筐体の外側に突出させ、前記遮蔽部の端部に設けられた前記連結部も前記筐体の外側に突出させ、さらに、前記スリットを前記筐体の外側まで延在させ、
前記保持部材の端部には、前記発光素子を実装した基板と、前記基板に接する放熱部材が設けられ、
前記放熱部材は、前記基板の前記発光素子の実装面とは反対側の面に対向する主面と、前記主面に対して前記筺体側に向けて交差する側面とを有し、
前記導光部材の長手方向において、前記放熱部材における前記側面の前記筺体側の端部と前記筺体との間に隙間が設けられていることを特徴とする画像読取り装置。
【請求項２】
請求項１に記載の画像読取り装置であって、
前記放熱部材に対して前記導光部材とは反対側の外向き方向、前記放熱部材の上下方向、前記外向き方向及び前記上下方向と直交する前記放熱部材の横方向両側に、空間が設けられたことを特徴とする画像読取り装置。
【請求項３】
請求項１又は請求項２に記載の画像読取り装置と、
前記画像読取り装置により読取られた前記被照射体の画像を記録用紙に印刷する印刷部と
を備えたことを特徴とする画像形成装置。
【発明の詳細な説明】
【技術分野】
【０００１】
本発明は、原稿等を読取る画像読取り装置、及びそれを備えた画像形成装置に関する。
【背景技術】
【０００２】
この種の画像読取り装置においては、ガラス上で原稿を副走査方向に搬送しつつ、ガラスの下方で、照明装置により原稿を照明して、ＣＣＤ(Charge Coupled Device)等の撮像素子により原稿を主走査方向に繰り返し走査して読取ったり、あるいはガラス上に原稿を位置決めして載置し、ガラスの下方で、照明装置及び撮像素子等を副走査方向に移動させつつ、照明装置により原稿を照明して、撮像素子により原稿を主走査方向に繰り返し走査して読取ったりしている。また、原稿を照明する照明装置としては、種々のものがあり、蛍光灯やＬＥＤアレイ等が用いられている。
【０００３】
また、特許文献１乃至３では、棒状の導光部材の両端部に各ＬＥＤを配置して、各ＬＥＤから出射された光を導光部材の両端部からその内部へと入射させて導光し、導光部材の長手方向に沿う光出射面から光を出射して、この出射された光により原稿を照明している。
【先行技術文献】
【特許文献】
【０００４】
【特許文献１】特開２０１０−１１９０５４号公報
【特許文献２】特開２０１２−１６０８６６号公報
【特許文献３】特開２０１２−２１２０６９号公報
【発明の概要】
【発明が解決しようとする課題】
【０００５】
ところで、特許文献１乃至３のようにＬＥＤを導光部材の端部近傍に設ける場合は、導光部材がアクリル樹脂等の合成樹脂製であるため、ＬＥＤの発熱により導光部材が加熱されて変形する可能性がある。また、近年は、画像読取り装置の原稿読取り速度が高速化され、これに伴って原稿を照明する光量が増大されているので、ＬＥＤの発熱量が増大して、ＬＥＤの寿命が低下する傾向にある。このため、ＬＥＤが実装される基板として放熱効率の高いものを採用したり、基板に放熱板を重ねて設けたりしている。
【０００６】
しかしながら、特許文献１では、導光部材、ＬＥＤの基板、及び放熱板等がフレームに搭載され、このフレームの一部が導光部材及びＬＥＤの基板の下方に位置する構成であるため、導光部材の端部、ＬＥＤの基板、及び放熱板等の周囲の空気の対流が悪化し、ＬＥＤの基板や放熱板の放熱効率が低くなるという問題があった。
【０００７】
また、特許文献２、３では、放熱板がフレームもしくは筐体の外側に露出して、放熱板の放熱効率の向上が図られているものの、ＬＥＤや導光部材についてはフレームもしくは枠体の壁部又は内側に配置されているので、導光部材やＬＥＤからの放熱効率が低かった。
【０００８】
そこで、本発明は、上記従来の問題点に鑑みなされたものであり、簡単な構成でありながら、導光部材の放熱効率を高く維持することが可能な画像読取り装置及び画像形成装置を提供することを目的とする。
【課題を解決するための手段】
【０００９】
上記課題を解決するために、本発明の画像読取り装置は、透光性を有する長尺な導光部材と、前記導光部材の長手方向の端部側に配置された発光素子と、被照射体を読取る読取り部と、前記導光部材を支持する筐体とを備え、前記発光素子から出射された光を前記導光部材の長手方向の端部に形成された光入射面に入射させて該導光部材の内部で導光させ、前記導光部材の長手方向に沿う光出射面から出射された光により前記被照射体を照明して、前記被照射体で反射された反射光を前記筐体の内部を通じて前記読取り部に入射させ、前記読取り部により前記被照射体を読取る画像読取り装置であって、前記被照射体側に向く前記筐体の開口部に設けられて、前記導光部材及び前記発光素子を保持する保持部材を備え、前記保持部材は、前記導光部材の長手方向に沿って設けられ、前記被照射体で反射された反射光を前記筐体の内部へと通すスリットと、前記スリットを除いて前記筐体の前記開口部を覆う遮蔽部と、前記遮蔽部の端部を連結する連結部とを有し、前記保持部材の端部を前記導光部材の端部と共に前記筐体の側端から該筐体の外側に突出させて、前記保持部材の前記遮蔽部の端部を前記筐体の側端から該筐体の外側に突出させ、前記遮蔽部の端部に設けられた前記連結部も前記筐体の外側に突出させ、さらに、前記スリットを前記筐体の外側まで延在させ、前記保持部材の端部には、前記発光素子を実装した基板と、前記基板に接する放熱部材が設けられ、前記放熱部材は、前記基板の前記発光素子の実装面とは反対側の面に対向する主面と、前記主面に対して前記筺体側に向けて交差する側面とを有し、前記導光部材の長手方向において、前記放熱部材における前記側面の前記筺体側の端部と前記筺体との間に隙間が設けられている。
【００１０】
このような本発明の画像読取り装置では、導光部材の端部が筐体の側端から該筐体の外側に突出している。従って、導光部材の端部が筐体の外側に配置され、導光部材の端部側に配置された発光素子も筐体の外側に配置されることになる。このため、導光部材の端部及び発光素子の近傍で熱がこもり難く、導光部材の端部及び発光素子からの放熱効率が向上する。
【００１１】
しかも、前記被照射体側に向く前記筐体の開口部に設けられて、前記導光部材及び前記発光素子を保持する保持部材を備え、前記保持部材の端部を前記導光部材と共に前記筐体の側端から該筐体の外側に突出させている。
このような保持部材の端部を筐体の外側に配置すると、導光部材の端部及び発光素子が筐体の外側に配置される。
【００１２】
さらに、前記保持部材は、前記導光部材の長手方向に沿って設けられ、前記被照射体で反射された反射光を前記筐体の内部へと通すスリットを有し、前記スリットを前記筐体の外側まで延在させている。
このような保持部材のスリットを筐体の外側まで延在させると、空気がスリットを通じて対流するので、導光部材の端部、発光素子、基板、放熱部材等の放熱効率がより向上する。
【００１５】
さらに、前記保持部材の端部には、前記発光素子を実装した基板と、前記基板に接する放熱部材とが設けられている。
このように、放熱部材が筐体の外側に配置されることで、放熱部材の放熱効率が高く、放熱部材により導光部材の端部及び発光素子の温度上昇を抑えることができる。
【００１６】
更に、本発明の画像読取り装置においては、前記放熱部材に対して前記導光部材とは反対側の外向き方向、前記放熱部材の上下方向、前記外向き方向及び前記上下方向と直交する前記放熱部材の横方向両側に、空間が設けられている。
【００１７】
この場合は、放熱部材の放熱効率を高くして、導光部材の端部及び発光素子の温度上昇をより抑えることができる。
【００２０】
一方、本発明の画像形成装置は、上記本発明の画像読取り装置と、前記画像読取り装置により読取られた前記被照射体の画像を記録用紙に印刷する印刷部とを備えている。
【００２１】
このような画像形成装置においても、上記本発明の画像読取り装置と同様の作用効果を奏することができる。
【発明の効果】
【００２２】
本発明では、導光部材の端部が筐体の側端から該筐体の外側に突出している。従って、導光部材の端部が筐体の外側に配置され、導光部材の端部側に配置された発光素子も筐体の外側に配置されることになる。このため、導光部材の端部及び発光素子の近傍で熱がこもり難く、導光部材の端部及び発光素子からの放熱効率が向上する。
【図面の簡単な説明】
【００２３】
【図１】本発明の画像読取り装置の第１実施形態を備えた画像形成装置を示す断面図である。
【図２】図１の画像読取り装置及び原稿搬送装置を示す断面図である。
【図３】図２の画像読取り装置の走査ユニットにおける照明装置の各導光部材及び各ＬＥＤを抽出して上方から視て示す斜視図である。
【図４】図３の照明装置の各導光部材及び各ＬＥＤを抽出して下方から視て示す斜視図である。
【図５】照明装置における導光部材を拡大して示す斜視図である。
【図６】走査ユニットを拡大して示す断面図である。
【図７】走査ユニットを示す斜視図である。
【図８】走査ユニットの端部を拡大して示す斜視図である。
【図９】走査ユニットにおいて、放熱板を取り外して、ＬＥＤ基板を露呈させた状態を拡大して示す斜視図である。
【図１０】走査ユニットにおいて、ＬＥＤ基板及び放熱板を取り外して、蓋状保持部材の端部を露呈させた状態を拡大して示す斜視図である。
【図１１Ａ】ＬＥＤ基板及び放熱板を蓋状保持部材の端部に取り付けた状態を下方から視て示す斜視図である。
【図１１Ｂ】図１１Ａの状態を下方から別の角度で視て示す斜視図である。
【図１２】（ａ）、（ｂ）は、第２実施形態の画像読取り装置の照明装置における導光部材を示す平面図及び側面図である。
【図１３】（ａ）、（ｂ）は、第３実施形態の画像読取り装置の照明装置における導光部材を示す平面図及び側面図である。
【図１４】第４実施形態の画像読取り装置を拡大して示す断面図である。
【図１５】第５実施形態の画像読取り装置を拡大して示す断面図である。
【図１６】第６実施形態の画像読取り装置及び原稿搬送装置を示す断面図である。
【図１７】図１６の画像読取り装置における第１走査ユニット並びに照明装置を模式的に示す側面図である。
【図１８】第１走査ユニット並びに照明装置を斜め上方向から視て模式的に示す斜視図である。
【発明を実施するための形態】
【００２４】
以下、本発明の実施形態を図面に基づいて説明する。
【００２５】
図１は、本発明の画像読取り装置の第１実施形態を備えた画像形成装置を示す断面図である。この画像形成装置１は、原稿を読取って記録用紙に印刷する複写機能を有しており、画像読取り装置２、原稿搬送装置３、印刷部４、及び給紙カセット５等を備えている。
【００２６】
この画像形成装置１において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、印刷部４においては、現像装置１２、感光体ドラム１３、ドラムクリーニング装置１４、及び帯電器１５を各色に応じた４種類のトナー像を形成するためにそれぞれ４個ずつ設け、それぞれをブラック、シアン、マゼンタ、及びイエローに対応付けて、４つの画像ステーションＰａ、Ｐｂ、Ｐｃ、Ｐｄを構成している。
【００２７】
各画像ステーションＰａ、Ｐｂ、Ｐｃ、Ｐｄのいずれにおいても、ドラムクリーニング装置１４により感光体ドラム１３表面の残留トナーを除去及び回収した後、帯電器１５により感光体ドラム１３の表面を所定の電位に均一に帯電させ、光走査装置１１により感光体ドラム１３表面を露光して、その表面に静電潜像を形成し、現像装置１２により感光体ドラム１３表面の静電潜像を現像して、感光体ドラム１３表面にトナー像を形成する。これにより、各感光体ドラム１３表面に各色のトナー像が形成される。
【００２８】
引き続いて、中間転写ベルト２１を矢印方向Ｃに周回移動させつつ、ベルトクリーニング装置２５により中間転写ベルト２１の残留トナーを除去及び回収した後、各感光体ドラム１３表面に各色のトナー像を中間転写ベルト２１に順次転写して重ね合わせ、中間転写ベルト２１上にカラーのトナー像を形成する。
【００２９】
中間転写ベルト２１と２次転写装置２６の転写ローラ２６ａとの間にはニップ域が形成されており、用紙搬送経路Ｒ１を通じて搬送されて来た記録用紙をそのニップ域に挟み込んで搬送しつつ、中間転写ベルト２１表面のカラーのトナー像を記録用紙上に転写する。そして、定着装置１７の加熱ローラ３１と加圧ローラ３２との間に記録用紙を挟み込んで加熱及び加圧し、記録用紙上のカラーのトナー像を定着させる。
【００３０】
一方、記録用紙は、ピックアップローラ３３により給紙カセット５から引出されて、用紙搬送経路Ｒ１を通じて搬送され、２次転写装置２６や定着装置１７を経由し、排紙ローラ３６を介して排紙トレイ３９へと搬出される。この用紙搬送経路Ｒ１には、記録用紙を一旦停止させて、記録用紙の先端を揃えた後、中間転写ベルト２１と転写ローラ２６ａ間のニップ域でのカラーのトナー像の転写タイミングに合わせて記録用紙の搬送を開始するレジストローラ３４、記録用紙の搬送を促す各搬送ローラ３５、排紙ローラ３６等が配置されている。
【００３１】
また、記録用紙の表面だけではなく、裏面の印字を行う場合は、記録用紙を排紙ローラ３６から反転経路Ｒｒへと逆方向に搬送して、記録用紙の表裏を反転させ、記録用紙をレジストローラ３４へと再度導き、記録用紙の表面と同様に、記録用紙の裏面に画像を記録して定着し、記録用紙を排紙トレイ３９へと搬出する。
【００３２】
次に、第１実施形態の画像読取り装置２について説明する。図２は、画像読取り装置２及び原稿搬送装置３を示す断面図である。
【００３３】
図２において、原稿搬送装置３は、その奥の一辺をヒンジ（図示せず）により下側の画像読取り装置２の一辺に枢支され、その手前側を上下させることにより開閉される。原稿搬送装置３を開いたときには、画像読取り装置２の原稿載置ガラス４１が開放される。
【００３４】
画像読取り装置２は、原稿載置ガラス４１、原稿読取りガラス４２、走査ユニット４３、及び移動ユニット４４等を備えている。移動ユニット４４は、走査ユニット４３を副走査方向Ｙにガイドするガイドシャフト４８と、走査ユニット４３を副走査方向Ｙに移動させて位置決めする駆動部（図示せず）とを備えている。
【００３５】
走査ユニット４３は、照明装置４５、結像レンズ４６、ＣＣＤ（Charge Coupled Device）４７、及び第１〜第４反射ミラー５１〜５４等を備え、移動ユニット４４により原稿載置ガラス４１及び原稿読取りガラス４２のいずれかの下方に移動され、原稿載置ガラス４１上に載置された原稿（被照射体）を読取ったり（第１読取りモード）、原稿読取りガラス４２上で搬送される原稿（被照射体）を読取ったりする（第２読取りモード）。
【００３６】
第１読取りモードでは、走査ユニット４３を移動ユニット４４により原稿載置ガラス４１の下方に移動させ、原稿搬送装置３を開いて、原稿を原稿載置ガラス４１上に載置し、原稿搬送装置３を閉じる。そして、走査ユニット４３を移動ユニット４４により副走査方向Ｙに原稿サイズに応じた距離だけ一定速度で移動させながら、原稿載置ガラス４１上の原稿を照明装置４５によって照明し、その反射光を第１〜第４反射ミラー５１〜５４により順次反射して結像レンズ４６へと導く。結像レンズ４６は、原稿からの反射光をＣＣＤ４７に集光して、原稿表面の画像をＣＣＤ４７上に結像させる。ＣＣＤ４７は、原稿表面の画像を繰り返し主走査方向Ｘに走査して、原稿表面の画像を読取る。
【００３７】
第２読取りモードでは、走査ユニット４３を移動ユニット４４により原稿読取りガラス４２の下方に移動させて位置決めし、原稿搬送装置３により、原稿を原稿載置トレイ５６から引き出して原稿読取りガラス４２上で副走査方向Ｙに搬送し原稿排紙トレイ５７へと排出させる。原稿が原稿読取りガラス４２上を通過するときに、走査ユニット４３の照明装置４５により原稿表面を原稿読取りガラス４２を介して照明し、原稿表面からの反射光を走査ユニット４３の第１〜第４反射ミラー５１〜５４により順次反射して結像レンズ４６へと導き、原稿表面からの反射光を結像レンズ４６によりＣＣＤ４７に集光させて、原稿表面の画像をＣＣＤ４７上に結像させ、ＣＣＤ４７により原稿表面の画像を主走査方向Ｘに繰返し走査して、原稿表面の画像を読取る。
【００３８】
次に、走査ユニット４３の照明装置４５について説明する。図３は、照明装置４５の概略構成を上方から視て示す斜視図であり、図４は、照明装置４５の概略構成を下方から視て示す斜視図である。図３及び図４に示すように照明装置４５では、主走査方向Ｘに延びるスリットＳｔの両側に各導光部材７１を配置し、各導光部材７１の両端の光入射面７１ｂにそれぞれのＬＥＤ（発光素子）７２を配置している。ＬＥＤの代わりに、他の種類の半導体素子や電球等を適用しても構わない。
【００３９】
導光部材７１は、透光性を有する四角柱状であって長尺な透光性本体からなり、透光性本体の長手方向Ｑの両端にそれぞれの光入射面７１ｂが形成され、透光性本体の長手方向Ｑに沿う一側面に光出射面７１ａが形成され、透光性本体の長手方向Ｑに沿う他の側面に、光出射面７１ａと対向する光反射面７１ｄ及び出射光量調整部７１ｅが形成されている。この導光部材７１は、アクリル樹脂を金型で成形することにより形成される。
【００４０】
図５に拡大して示すように光反射面７１ｄは、平坦面である。また、出射光量調整部７１ｅは、その縦断面形状が鋸刃状のものであって、鋸刃状の縦断面形状を形成する多数の傾斜面７１ｆを有している。更に、導光部材７１の長手方向Ｑと直交する方向での出射光量調整部７１ｅの幅Ｆを、概ね導光部材７１の両端の光入射面７１ｂに近づくほど徐々に狭くしている。
【００４１】
このような構成の照明装置４５において、導光部材７１の両端の光入射面７１ｂにそれぞれのＬＥＤ７２が対峙していることから、各ＬＥＤ７２から出射された光は、導光部材７１の光入射面７１ｂに入射し、導光部材７１の内部で導光され、光出射面７１ａから直接出射されたり、光反射面７１ｄ又は出射光量調整部７１ｅで反射されて光出射面７１ａから出射されたりする。このとき、鋸刃状の出射光量調整部７１ｅは、導光部材７１の内部で導光され該出射光量調整部７１ｅに入射して来た光を乱反射して光出射面７１ａから出射させる。
【００４２】
各導光部材７１の光出射面７１ａは、原稿載置ガラス４１又は原稿読取りガラス４２を介して原稿の同一箇所に向けられており、各導光部材７１の光出射面７１ａから出射されたそれぞれの光が原稿の同一箇所に入射して、原稿のその箇所が照明され、原稿のその箇所で反射された反射光がスリットＳｔを通じて走査ユニット４３の内側に導かれ、反射光が第１〜第４反射ミラー５１〜５４により順次反射され結像レンズ４６を通じてＣＣＤ４７に入射し、ＣＣＤ４７により原稿表面の画像が読取られる。
【００４３】
また、導光部材７１の出射光量調整部７１ｅの幅Ｆを概ね導光部材７１の両端の光入射面７１ｂに近づくほど徐々に狭くすることにより、出射光量調整部７１ｅの中央付近での反射光量を調節して、導光部材７１の中央付近での出射光量の増大を図り、ＣＣＤ４７の受光面で受光される受光量分布を均一化している。
【００４４】
ところで、照明装置４５においては、各ＬＥＤ７２が導光部材７１の両端の光入射面７１ｂ近傍に設けられているが、導光部材７１がアクリル樹脂製であるため、各ＬＥＤ７２の発熱により導光部材７１が加熱されて変形する可能性がある。また、画像読取り装置２では、原稿読取り速度が高速化されて、原稿を照明する光量が増大されているので、各ＬＥＤ７２の発熱量が増大して、各ＬＥＤ７２の寿命が低下する傾向にある。
【００４５】
そこで、第１実施形態では、導光部材７１の両端部を、走査ユニット４３の筐体の両側壁から該筐体の外側に突出させている。従って、導光部材７１の両端部及び各ＬＥＤ７２が走査ユニット４３の筐体の外側に配置されることになり、これにより導光部材７１の両端部及び各ＬＥＤ７２の放熱効率の向上が図られている。
【００４６】
次に、走査ユニット４３並びに照明装置４５の構成を更に詳しく説明する。図６は、走査ユニット４３を拡大して示す断面図である。また、図７は、走査ユニット４３を示す斜視図であり、図８は、走査ユニット４３の端部を拡大して示す斜視図である。
【００４７】
図６乃至図８に示すように走査ユニット４３は、上側が開口部となっている筐体６１と、筐体６１の上側の開口部に設けられた蓋状保持部材６２と、蓋状保持部材６２に設けられた照明装置４５と、筐体６１の長手方向（主走査方向Ｘ）に沿う側壁に設けられたＣＣＤ基板６３とを有している。
【００４８】
筐体６１の内部には、結像レンズ４６及び第１〜第４反射ミラー５１〜５４が設けられている。また、蓋状保持部材６２は、筐体６１の上側開口部を概ね覆い、照明装置４５を保持している。更に、ＣＣＤ基板６３には、ＣＣＤ４７が実装され、ＣＣＤ４７の受光面が筐体６１の側壁に形成されたスリット（図示せず）を通じて筐体６１の内側を臨んでいる。
【００４９】
蓋状保持部材６２には、主走査方向Ｘに長い２本の嵌合溝６２ａと、各嵌合溝６２ａの間のスリットＳｔとが形成されており、各嵌合溝６２ａにそれぞれの導光部材７１が嵌め込まれている。照明装置４５では、図３及び図４に示すように各ＬＥＤ７２の光を導光部材７１の光入射面７１ｂに入射させ、各導光部材７１の光出射面７１ａから光を出射して、この光を原稿載置ガラス４１又は原稿読取りガラス４２を介して原稿に照射する。原稿で反射された光は、原稿載置ガラス４１又は原稿読取りガラス４２を透過し、蓋状保持部材６２のスリットＳｔを通じて筐体６１の内側に導かれ、第１〜第４反射ミラー５１〜５４で順次反射され、結像レンズ４６を通じてＣＣＤ４７に入射する。
【００５０】
画像読取り装置２において、蓋状保持部材６２の端部には、ＬＥＤ７２の熱を放熱する放熱板６５が設けられている。
詳しくは、照明装置４５は、２本の導光部材７１及び４個のＬＥＤ７２の他に、ＬＥＤ７２が２個ずつ実装された２枚のＬＥＤ基板６４と、各ＬＥＤ基板６４の外側表面に重ねて設けられた２個の放熱板６５とを有している。
【００５１】
図９は、放熱板６５を取り外して、ＬＥＤ基板６４を露呈させた状態を拡大して示す斜視図であり、図１０は、ＬＥＤ基板６４及び放熱板６５を取り外して、蓋状保持部材６２の端部を露呈させた状態を拡大して示す斜視図である。また、図１１Ａ、図１１Ｂは、ＬＥＤ基板６４及び放熱板６５を蓋状保持部材６２の端部に取り付けた状態を下方から視て示す斜視図である。
【００５２】
図９、図１０、及び図１１Ａ、図１１Ｂに示すように蓋状保持部材６２は、スリットＳｔを除いて、筐体６１の上側開口部を覆うそれぞれの遮蔽部６２ｂ、６２ｃと、各遮蔽部６２ｂ、６２ｃの両端部を連結するそれぞれの連結部６２ｄとを有している。各遮蔽部６２ｂ、６２ｃには、各導光部材７１が嵌め込まれるそれぞれの嵌合溝６２ａ（図６に示す）が形成されている。
【００５３】
また、蓋状保持部材６２の連結部６２ｄには、各嵌合溝６２ａに通じる２個の開口孔６２ｅが形成され、２本の導光部材７１の光入射面７１ｂが各開口孔６２ｅに配置されている。更に、原稿載置ガラス４１又は原稿読取りガラス４２に向く導光部材７１の光出射面７１ａが露呈し、導光部材７１の光出射面７１ａを除く他の３つの側面が嵌合溝６２ａの内側に配置されている。
【００５４】
また、蓋状保持部材６２の連結部６２ｄには、連結部６２ｄの中央に位置するネジ孔６２ｆと、ネジ孔６２ｆの両側に位置する２本のピン６２ｇ、６２ｈとが形成されている。ＬＥＤ基板６４は、金属製（例えばアルミ製）のものであって、１個の取付け孔６４ａと、取付け孔６４ａの両側に位置する２個の位置決め孔６４ｂ、６４ｃとが形成され、またＬＥＤ基板６４の片面に２個のＬＥＤ７２が実装されている。放熱板６５は、金属製（例えばアルミ製）のものであって、主板６５ａと、主板６５ａの両端部で折り曲げられた２枚の側板６５ｂとを有している。主板６５ａには、１個の取付け孔６５ｃと、取付け孔６５ｃの両側に位置する２個の位置決め孔６５ｄ、６５ｅとが形成され、また各側板６５ｂの上辺には、それぞれの切欠部６５ｆが形成されている。
【００５５】
ここで、蓋状保持部材６２の連結部６２ｄに突設された各ピン６２ｇ、６２ｈをＬＥＤ基板６４の各位置決め孔６４ｂ、６４ｃに挿入して、ＬＥＤ基板６４を連結部６２ｄに重ね合わせると、連結部６２ｄに対してＬＥＤ基板６４が位置決めされ、ＬＥＤ基板６４の取付け孔６４ａが連結部６２ｄのネジ孔６２ｆに重なる。また、ＬＥＤ基板６４上の各ＬＥＤ７２が連結部６２ｄの各開口孔６２ｅに配置されて、各ＬＥＤ７２の光出射面が各開口孔６２ｅの内側で各導光部材７１の光入射面７１ｂと対峙し、各ＬＥＤ７２の光出射面から出射された光が各導光部材７１の光入射面７１ｂに入射し得る状態となる。
【００５６】
更に、蓋状保持部材６２の連結部６２ｄに突設された各ピン６２ｇ、６２ｈを放熱板６５の主板６５ａの２個の位置決め孔６５ｄ、６５ｅに挿入して、放熱板６５の主板６５ａをＬＥＤ基板６４に重ね合わせると、連結部６２ｄ並びにＬＥＤ基板６４に対して放熱板６５の主板６５ａが位置決めされ、放熱板６５の主板６５ａの取付け孔６５ｃがＬＥＤ基板６４の取付け孔６４ａ並びに連結部６２ｄのネジ孔６２ｆに重なる。この状態で、ネジ７３が放熱板６５の主板６５ａの取付け孔６５ｃ及びＬＥＤ基板６４の取付け孔６４ａに通されて連結部６２ｄのネジ孔６２ｆにねじ込まれて締結され、放熱板６５及びＬＥＤ基板６４が連結部６２ｄに固定される。蓋状保持部材６２の両端の連結部６２ｄのいずれにも、放熱板６５及びＬＥＤ基板６４が固定され、各導光部材７１の両端の光入射面７１ｂにそれぞれのＬＥＤ７２が対峙して配置される。
【００５７】
このような構成の照明装置４５においては、図６乃至図１０、図１１Ａ、図１１Ｂから明らかなように蓋状保持部材６２の各遮蔽部６２ｂ、６２ｃの両端が走査ユニット４３の筐体６１の両側壁から該筐体６１の外側に突出し、また各遮蔽部６２ｂ、６２ｃの両端に設けられた各連結部６２ｄも筐体６１の外側に突出し、更に各遮蔽部６２ｂ、６２ｃ間のスリットＳｔが筐体６１の両側壁から該筐体６１の外側まで延在している。
【００５８】
また、各導光部材７１は、蓋状保持部材６２の各遮蔽部６２ｂ、６２ｃの嵌合溝６２ａに嵌め込まれて保持され、各導光部材７１の両端部が蓋状保持部材６２の両側の各連結部６２ｄまで延在している。そして、各連結部６２ｄ別に、２本の導光部材７１の光入射面７１ｂが連結部６２ｄの各開口孔６２ｅに配置され、ＬＥＤ基板６４及び放熱板６５が連結部６２ｄに取り付けられ、ＬＥＤ基板６４上の各ＬＥＤ７２が連結部６２ｄの各開口孔６２ｅに配置されている。従って、２本の導光部材７１の両端部、各ＬＥＤ７２、２枚のＬＥＤ基板６４、及び２個の放熱板６５は、筐体６１の外側に配置されている。
【００５９】
ここで、ＬＥＤ基板６４上の各ＬＥＤ７２が発熱すると、各ＬＥＤ７２の熱がＬＥＤ基板６４を通じて放熱板６５へと伝導され、放熱板６５の熱が空気の対流により放熱される。この放熱板６５が筐体６１の外側に配置されているので、放熱板６５の周囲では空気が滞ることなく対流し、放熱板６５の放熱効率が高く、各ＬＥＤ７２の温度上昇が抑えられ、延いては導光部材７１の端部の温度上昇も抑えられる。また、放熱板６５だけではなく、導光部材７１の端部、ＬＥＤ基板６４、及び各ＬＥＤ７２が筐体６１の外側に配置されているので、導光部材７１の端部、ＬＥＤ基板６４、及び各ＬＥＤ７２の近傍で熱がこもり難く、これらからの放熱効率が向上し、これによっても各ＬＥＤ７２及び導光部材７１の端部の温度上昇が抑えられる。
【００６０】
より詳しく説明すると、放熱板６５については、筐体６１の外側に配置されていることから、図８及び図１１Ａに示すように該放熱板６５の上下方向Ｚ１、Ｚ２、左右方向（横方向両側）Ｙ１、Ｙ２、及び外向き方向Ｘ１で開放されている。上下方向Ｚ１、Ｚ２、左右方向Ｙ１、Ｙ２、及び外向き方向Ｘ１は、互いに直交する方向である。また、図２から明らかなように画像読取り装置２においては、走査ユニット４３の上下方向Ｚ１、Ｚ２及び左右方向Ｙ１、Ｙ２に空間があり、更に走査ユニット４３の筐体６１の両側に設けられた各放熱板６５と画像読取り装置２の筐体の両側内壁との間にも空間がある。従って、走査ユニット４３の両側の各放熱板６５の上下方向Ｚ１、Ｚ２、左右方向Ｙ１、Ｙ２、及び外向き方向Ｘ１には空間がある。
【００６１】
このため、各ＬＥＤ７２が発熱して、放熱板６５の温度が上昇したときには、放熱板６５の周囲の空気が加熱されて速やかに対流し、この空気の速やかな対流により放熱板６５の熱が効率的に放熱される。
【００６２】
また、ＬＥＤ基板６４及び放熱板６５のいずれもアルミ製であるため、各ＬＥＤ７２の熱がＬＥＤ基板６４を通じて放熱板６５へと良好に伝導されて放熱され、各ＬＥＤ７２の温度上昇が抑えられる。更には、各ＬＥＤ７２から各導光部材７１の端部へと伝導される熱量が抑えられ、各導光部材７１の端部の温度上昇も抑えられる。
【００６３】
また、図１１Ａ、図１１Ｂから明らかなように蓋状保持部材６２の各遮蔽部６２ｂ、６２ｃの端部を連結する連結部６２ｄが筐体６１の側壁から離間し、各遮蔽部６２ｂ、６２ｃ間のスリットＳｔが筐体６１の側壁から該筐体６１の外側まで延在しているので、連結部６２ｄと筐体６１の側壁との間には、スリットＳｔを通じて上下方向に空気の対流が生じる。このスリットＳｔを通じて生じる上下方向の空気の対流は、連結部６２ｄの周辺に生じるため、連結部６２ｄの熱が効率的に放熱され、連結部６２ｄの各開口孔６２ｅに配置された各ＬＥＤ７２の熱及び各導光部材７１の端部の熱がこもり難く、各ＬＥＤ７２及び各導光部材７１の端部の温度上昇が抑えられる。また、スリットＳｔを通じて生じる上下方向の空気の対流は、筐体６１の側壁に向くＬＥＤ基板６４の片面、つまり各ＬＥＤ７２が実装されたＬＥＤ基板６４の片面からの放熱を促すため、各ＬＥＤ７２の温度上昇がより抑えられ、各導光部材７１の端部の温度上昇もより抑えられる。
【００６４】
また、図１１Ａ、図１１Ｂから明らかなように放熱板６５の各側板６５ｂの外側面全体が露出しているので、各側板６５ｂの外側面に沿う空気の対流によっても放熱板６５の熱が放熱される。更に、放熱板６５の主板６５ａの縦幅がＬＥＤ基板６４の縦幅よりも広く、放熱板６５の主板６５ａの内側面の上下部分が露出し、放熱板６５の各側板６５ｂの内側面も殆ど露出しているので、スリットＳｔを通じての上下方向の空気の対流により放熱板６５の熱がより効率的に放熱される。
【００６５】
このように第１実施形態では、２本の導光部材７１の両端部を筐体６１の両側壁から外側に突出させて、蓋状保持部材６２のスリットＳｔも外側に延在させ、これに伴い各ＬＥＤ７２、２枚のＬＥＤ基板６４、及び２個の放熱板６５を筐体６１の両側壁から離間させて筐体６１の外側に配置している。このため、放熱板６５の周囲では空気が滞ることなく対流し、放熱板６５の放熱効率が高く、各ＬＥＤ７２の温度上昇が抑えられ、導光部材７１の端部の温度上昇も抑えられる。また、導光部材７１の端部、ＬＥＤ基板６４、及び各ＬＥＤ７２の近傍で熱がこもり難く、これらからの放熱効率が向上し、これによっても各ＬＥＤ７２及び導光部材７１の端部の温度上昇が抑えられる。
【００６６】
次に、第２実施形態の画像読取り装置２について説明する。第２実施形態は、第１実施形態と比較すると、照明装置４５の導光部材７１の代わりに、図１２（ａ）、（ｂ）に示すような導光部材７１Ａを用いている点が異なる。
【００６７】
また、第２実施形態では、第１実施形態と同様に、２本の導光部材７１Ａを蓋状保持部材６２の各嵌合溝６２ａに嵌め込んで、各ＬＥＤ７２の光を各導光部材７１Ａの光入射面７１ｂに入射させ、各導光部材７１Ａの光出射面７１ａから光を出射して、この光を原稿載置ガラス４１又は原稿読取りガラス４２を介して原稿に照射する。
【００６８】
また、第１実施形態と同様に、蓋状保持部材６２の両端を走査ユニット４３の筐体６１の両側壁から該筐体６１の外側に突出させ、各導光部材７１Ａの両端も筐体６１の外側に突出させて、各導光部材７１Ａの両端及び各ＬＥＤ７２等の放熱効率の向上を図っている。
【００６９】
ここで、図１２（ａ）に示すように導光部材７１Ａは、導光部材７１Ａの長手方向Ｑと直交する方向での導光部材７１Ａの幅を導光部材７１Ａの両端の光入射面７１ｂに近づくほど徐々に狭くして、導光部材７１Ａの光出射面７１ａの幅及び出射光量調整部７１ｅの幅Ｆを導光部材７１Ａの幅に一致させたものである。このため、導光部材７１Ａは、図５の導光部材７１の光反射面７１ｄに相当する面を有していない。
【００７０】
このような導光部材７１Ａを用いた構成においても、出射光量調整部７１ｅの中央付近での反射光量を調節して、導光部材７１Ａの中央付近での出射光量の増大を図り、ＣＣＤ４７の受光面で受光される受光量分布を均一化することができる。
【００７１】
次に、第３実施形態の画像読取り装置２について説明する。第３実施形態は、第１実施形態と比較すると、照明装置４５の導光部材７１の代わりに、図１３（ａ）、（ｂ）に示すような導光部材７１Ｂを用いている点が異なる。
【００７２】
また、第３実施形態では、第１実施形態と同様に、２本の導光部材７１Ｂを蓋状保持部材６２の各嵌合溝６２ａに嵌め込んで用いている。更に、第１実施形態と同様に、蓋状保持部材６２の両端を走査ユニット４３の筐体６１の両側壁から該筐体６１の外側に突出させ、各導光部材７１Ｂの両端も筐体６１の外側に突出させて、各導光部材７１Ｂの両端及び各ＬＥＤ７２等の放熱効率の向上を図っている。
【００７３】
ここで、図１３（ａ）に示すように導光部材７１Ｂは、導光部材７１Ｂの長手方向Ｑと直交する方向での出射光量調整部７１ｅの幅Ｆを導光部材７１Ｂの一定幅に一致させたものである。このため、導光部材７１Ｂは、図５の導光部材７１の光反射面７１ｄに相当する面を有していない。
【００７４】
このような導光部材７１Ｂを用いた構成においても、各ＬＥＤ７２の光を各導光部材７１Ｂの光入射面７１ｂに入射させ、各導光部材７１Ｂの光出射面７１ａから光を出射して、この光を原稿載置ガラス４１又は原稿読取りガラス４２を介して原稿に概ね均一に照射することができる。
【００７５】
次に、第４実施形態の画像読取り装置２について説明する。図１４は、第４実施形態の画像読取り装置２を拡大して示す断面図である。第４実施形態は、第１実施形態と比較すると、照明装置４５の導光部材７１を１本だけ用いている点が異なる。
【００７６】
図１４に示すように蓋状保持部材６２に１本の嵌合溝６２ａを形成して、１本の導光部材７１を嵌合溝６２ａに嵌め込んでいる。また、第１実施形態と同様に、蓋状保持部材６２の両端を走査ユニット４３の筐体６１の両側壁から該筐体６１の外側に突出させ、導光部材７１の両端も筐体６１の外側に突出させて、導光部材７１の両端及び各ＬＥＤ７２等の放熱効率の向上を図っている。
【００７７】
このような１本の導光部材７１を用いた構成においても、各ＬＥＤ７２の光を導光部材７１の光入射面７１ｂに入射させ、導光部材７１の光出射面７１ａから光を出射して、この光を原稿載置ガラス４１又は原稿読取りガラス４２を介して原稿に概ね均一に照射することができる。
【００７８】
次に、第５実施形態の画像読取り装置２について説明する。図１５は、第５実施形態の画像読取り装置２を拡大して示す断面図である。第５実施形態は、第１実施形態と比較すると、照明装置４５の導光部材７１を１本だけ用い、導光部材７１の光出射面７１ａから出射された光を反射して原稿に入射させるミラー７４を追加した点が異なる。
【００７９】
図１５に示すように蓋状保持部材６２に１本の嵌合溝６２ａを形成して、１本の導光部材７１を嵌合溝６２ａに嵌め込み、スリットＳｔに対して導光部材７１とは反対側にミラー７４を傾斜させて支持している。また、第１実施形態と同様に、蓋状保持部材６２の両端を走査ユニット４３の筐体６１の両側壁から該筐体６１の外側に突出させ、導光部材７１の両端及びミラー７４の両端も筐体６１の外側に突出させて、導光部材７１の両端及び各ＬＥＤ７２等の放熱効率の向上を図っている。
【００８０】
このような導光部材７１及びミラー７４を用いた構成においては、各ＬＥＤ７２の光を導光部材７１の光入射面７１ｂに入射させ、導光部材７１の光出射面７１ａから光を出射して、この光を原稿載置ガラス４１又は原稿読取りガラス４２を介して原稿に概ね均一に照射することができる。また、導光部材７１の光出射面７１ａから出射された光をミラー７４の反射面７４ａで反射して原稿に入射させることができる。これにより、導光部材７１の光出射面７１ａから出射された光が原稿の照明のために効率的に用いられる。尚、第１乃至第５実施形態を適宜組み合わせてもよい。
【００８１】
次に、第６実施形態の画像読取り装置について説明する。図１６は、第６実施形態の画像読取り装置を拡大して示す断面図である。
【００８２】
図１６に示すように第６実施形態の画像読取り装置８１は、図２に示す原稿搬送装置３と組み合わされて、図１の画像形成装置１で用いられるものである。
【００８３】
画像読取り装置８１は、原稿載置ガラス４１、原稿読取りガラス４２、第１走査ユニット８３、第２走査ユニット８４、結像レンズ８５、及びＣＣＤ（Charge Coupled Device）８６等を備えている。第１走査ユニット８３は、照明装置９１及び第１反射ミラー９２を有しており、副走査方向Ｙへと原稿サイズに応じた距離だけ一定速度Ｖで移動しながら、原稿載置ガラス４１上の原稿を照明装置９１によって照明し、その反射光を第１反射ミラー９２により反射して第２走査ユニット８４へと導き、これにより原稿表面の画像を副走査方向Ｙに走査する。第２走査ユニット８４は、第２及び第３反射ミラー９３、９４を備えており、第１走査ユニット８３に追従して速度Ｖ／２で移動しつつ、原稿からの反射光を第２及び第３反射ミラー９３、９４により反射して結像レンズ８５へと導く。結像レンズ８５は、原稿からの反射光をＣＣＤ８６に集光して、原稿表面の画像をＣＣＤ８６上に結像させる。ＣＣＤ８６は、原稿の画像を繰り返し主走査方向に走査する。
【００８４】
第１及び第２走査ユニット８３、８４には、それぞれのプーリー（図示せず）が設けられており、これらのプーリーにワイヤー（図示せず）が架け渡され、このワイヤーがステッピングモータにより駆動されて、第１及び第２走査ユニット８３、８４が同期移動される。
【００８５】
また、原稿搬送装置３により搬送されている原稿表面の画像を読取る場合は、第１走査ユニット８３を原稿読取りガラス４２下方に移動させ、第１走査ユニット８３の位置に応じて第２走査ユニット８４を位置決めし、この状態で、原稿搬送装置３による原稿の搬送を開始し、原稿を原稿載置トレイ５６から引き出して原稿読取りガラス４２上で副走査方向Ｙに搬送し原稿排紙トレイ５７へと排出させる。
【００８６】
この原稿の搬送に際し、第１走査ユニット８３の照明装置９１により原稿表面を原稿読取りガラス４２を介して照明し、原稿表面からの反射光を第１及び第２走査ユニット８３、８４の各反射ミラーにより結像レンズ８５へと導き、原稿表面からの反射光を結像レンズ８５によりＣＣＤ８６に集光させ、原稿表面の画像をＣＣＤ８６上に結像させ、これにより原稿表面の画像を読取る。
【００８７】
次に、第１走査ユニット８３の照明装置９１について説明する。図１７は、第１走査ユニット８３並びに照明装置９１を模式的に示す側面図であり、図１８は、第１走査ユニット８３並びに照明装置９１を斜め上方向から視て模式的に示す斜視図である。図１８及び図１９に示すように第１走査ユニット８３は、主走査方向Ｘに延びるスリットＳｔを有する筐体１０１と、筐体１０１により支持された照明装置９１と、筐体１０１に内蔵された第１反射ミラー９２とを備えている。照明装置９１は、スリットＳｔ両側に配置された相互に平行な細長い形状の各導光部材１０２と、各導光部材１０２の両端の光入射面１０２ａに対向配置されたそれぞれのＬＥＤ（発光素子）１０３とを備えている。
【００８８】
各導光部材１０２別に、各ＬＥＤ１０３の光は、導光部材１０２の両端の光入射面１０２ａから該導光部材１０２へと入射し、導光部材１０２の光出射面１０２ｂから出射される。各導光部材１０２の光出射面１０２ｂから出射された光は、原稿載置ガラス４１又は原稿読取りガラス４２を通じて原稿に照射され、原稿からの反射光が原稿載置ガラス４１又は原稿読取りガラス４２を通じてスリットＳｔに入射し、この反射光がスリットＳｔを通じて第１反射ミラー９２に入射する。
【００８９】
このような照明装置９１においては、図１８に示すように各導光部材１０２の両端部及び各ＬＥＤ１０３が第１走査ユニット８３の筐体１０１の両外側に配置されて、各導光部材１０２の両端部及び各ＬＥＤ１０３の放熱効率の向上が図られている。各導光部材１０２及び各ＬＥＤ１０３を筐体１０１の両外側に支持するには、第１実施形態の蓋状保持部材６２と同様のものを筐体１０１の開口部に設ければよい。この場合は、各導光部材１０２の両側に各ＬＥＤ基板６４や各放熱板６５を設けることができる。更に、各放熱板６５の周囲に空間を設けて、各放熱板６５の放熱効率を向上させたり、スリットＳｔを筐体１０１の外側まで延在させて、スリットＳｔを通じる空気の対流を生じさせたりしてもよい。
【００９０】
以上、添付図面を参照しながら本発明の好適な実施形態及び変形例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【符号の説明】
【００９１】
１  画像形成装置
２  画像読取り装置
３  原稿搬送装置
４  印刷部
５  給紙カセット
１１  光走査装置
１２  現像装置
１３  感光体ドラム
１４  ドラムクリーニング装置
１５  帯電器
１７  定着装置
２１  中間転写ベルト
２６  ２次転写装置
４３  走査ユニット
４５  照明装置
４６  結像レンズ
４７、８６  ＣＣＤ（読取り部）
５１〜５４  第１〜第４反射ミラー
６１  筐体
６２  蓋状保持部材（保持部材）
６３  ＣＣＤ基板
６４  ＬＥＤ基板（基板）
６５  放熱板
７１  導光部材
７２  ＬＥＤ（発光素子）
Ｓｔ  スリット
【図１】
0005951565.tif 000002
【図２】
0005951565.tif 000003
【図３】
0005951565.tif 000004
【図４】
0005951565.tif 000005
【図５】
0005951565.tif 000006
【図６】
0005951565.tif 000007
【図７】
0005951565.tif 000008
【図８】
0005951565.tif 000009
【図９】
0005951565.tif 000010
【図１０】
0005951565.tif 000011
【図１１Ａ】
0005951565.tif 000012
【図１１Ｂ】
0005951565.tif 000013
【図１２】
0005951565.tif 000014
【図１３】
0005951565.tif 000015
【図１４】
0005951565.tif 000016
【図１５】
0005951565.tif 000017
【図１６】
0005951565.tif 000018
【図１７】
0005951565.tif 000019
【図１８】
0005951565.tif 000020